(57)【特許請求の範囲】
【請求項１】
装着者により装着される頭部装着型コンピュータ生成ホログラフィック画像表示装置（ＨＭＤ）による表示のためのコンピュータ生成ホログラフィック画像データ（ＨＤ）を処理するコンピュータ実施方法であって、
（ｉ）以下のデータ
−  装着者処方箋データ（ＰＤ）、装着者眼感度データ（ＳＤ）、及び装着者眼科バイオメトリックデータ（ＢＤ）を含む装着者眼科データ（ＯＤ）及び
−  フレームデータ（ＦＤ）及びレンズデータ（ＬＤ）を含む頭部装着装置データ（ＨＭＤＤ）
から選択される、視覚化パラメータデータ（ＶＰＤ）を提供する工程と、
（ｉｉ）コンピュータ生成ホログラフィック画像データ（ＨＤ）を提供する工程と、
（ｉｉｉ）工程（ｉ）の前記視覚化パラメータデータ（ＶＰＤ）を考慮することにより工程（ｉｉ）の前記コンピュータ生成ホログラフィック画像データ（ＨＤ）から修正コンピュータ生成ホログラフィック画像データ（ＭＨＤ）を計算する工程と、
（ｉｖ）表示のために、工程（ｉｉｉ）の前記修正コンピュータ生成ホログラフィック画像データ（ＭＨＤ）を前記表示装置（ＨＭＤ）へ提供する工程と、
（ｖ）前記装置（ＨＭＤ）の照射により工程（ｉｉｉ）の前記修正コンピュータ生成ホログラフィック画像データ（ＭＨＤ）からホログラフィック画像を表示するように配置された光ビームを少なくとも１つの光源（ＬＩＧＨＴ  ＳＯＵＲＣ）により発射する工程と、を含み、
ここで前記光源（ＬＩＧＨＴ  ＳＯＵＲＣ）は遠隔照射端末上に設けられ、
前記光源（ＬＩＧＨＴ  ＳＯＵＲＣ）はさらに、データを送信するように構成され、
工程（ｉｉ）は、前記コンピュータ生成ホログラフィック画像データ（ＨＤ）を前記光源（ＬＩＧＨＴ  ＳＯＵＲＣ）から前記装置（ＨＭＤ）へ送信する工程を含むか、
工程（ｉｖ）は、前記修正コンピュータ生成ホログラフィック画像データ（ＭＨＤ）を前記光源（ＬＩＧＨＴ  ＳＯＵＲＣ）から前記装置（ＨＭＤ）へ送信する工程を含む、
コンピュータ実施方法。
【請求項２】
前記視覚化パラメータデータ（ＶＰＤ）は、乱視度、乱視軸、度数、プリズム及び加入度から選択された装着者処方箋データ（ＰＤ）である、請求項１に記載のコンピュータ実施方法。
【請求項３】
工程（ｉ）の前記視覚化パラメータデータ（ＶＰＤ）の少なくとも１つは前記装置（ＨＭＤ）上のメモリ内に格納される、請求項１または２に記載のコンピュータ実施方法。
【請求項４】
工程（ｉ）は、
（ｉ−ａ）少なくとも１つの通信端末（ＣＯＭ  ＴＥＲＭ）により前記装着者の存在を検出する工程と、
（ｉ−ｂ）工程（ｉ−ａ）における前記検知された存在に応じて、前記視覚化パラメータデータ（ＶＰＤ）を前記装置（ＨＭＤ）から前記通信端末（ＣＯＭ  ＴＥＲＭ）へ送信する工程とを含み、
工程（ｉｖ）は、修正コンピュータ生成ホログラフィック画像データ（ＭＨＤ）を前記通信端末（ＣＯＭ  ＴＥＲＭ）から前記装置（ＨＭＤ）へ送信する工程を含む、請求項３に記載のコンピュータ実施方法。
【請求項５】
工程（ｉ）の前記視覚化パラメータデータ（ＶＰＤ）の少なくとも１つは、前記視覚化パラメータデータ（ＶＰＤ）の検索を可能にする識別子である視覚化パラメータ識別子（ＶＰ  ＩＤ）に関連して、通信ネットワーク（ＣＯＭ  ＮＥＴＷ）を介し少なくとも１つの通信端末（ＣＯＭ  ＴＥＲＭ）へ接続された通信サーバ（ＣＯＭ  ＳＥＲＶ）上の装着者データベース（ＷＥＡＲ  ＤＢ）内に格納される、請求項１または２に記載のコンピュータ実施方法。
【請求項６】
工程（ｉ）は、
（ｉ−ａ）前記少なくとも１つの通信端末（ＣＯＭ  ＴＥＲＭ）により前記装着者の存在を検出する工程と、
（ｉ−ｂ）工程（ｉ−ａ）における前記検知された存在に応じて、前記視覚化パラメータデータ（ＶＰＤ）を前記通信サーバ（ＣＯＭ  ＳＥＲＶ）から前記通信端末（ＣＯＭ  ＴＥＲＭ）へ送信する工程とを含む、請求項５に記載のコンピュータ実施方法。
【請求項７】
工程（ｉ）は、（ｉ−ｃ）視覚化パラメータデータ（ＶＰＤ）を前記通信端末（ＣＯＭ  ＴＥＲＭ）から前記装置（ＨＭＤ）へ送信する別の工程を含む、請求項６に記載のコンピュータ実施方法。
【請求項８】
工程（ｉｖ）は、修正コンピュータ生成ホログラフィック画像データ（ＭＨＤ）を前記通信端末（ＣＯＭ  ＴＥＲＭ）から前記装置（ＨＭＤ）へ送信する工程を含む、請求項５に記載のコンピュータ実施方法。
【請求項９】
工程（ｉｖ）は、修正コンピュータ生成ホログラフィック画像データ（ＭＨＤ）を前記通信サーバ（ＣＯＭ  ＳＥＲＶ）から前記通信端末（ＣＯＭ  ＴＥＲＭ）へ送信する前工程を含む、請求項８に記載のコンピュータ実施方法。
【請求項１０】
前記コンピュータ生成ホログラフィック画像データ（ＨＤ）又は前記修正コンピュータ生成ホログラフィック画像データ（ＭＨＤ）は画像データベース（ＩＭ  ＤＢ）内に格納され、
請求項１乃至９のいずれか一項に記載のコンピュータ実施方法は、装着者識別子（ＷＥＡＲ  ＩＤ）と前記装着者との関連性を前記データベース内に事前登録する予備工程を含み、
工程（ｉｉ）の前記コンピュータ生成ホログラフィック画像データ（ＨＤ）及び／又は工程（ｉｉｉ）の前記修正コンピュータ生成ホログラフィック画像データ（ＭＨＤ）は前記装着者識別子（ＷＥＡＲ  ＩＤ）に基づき判断される、請求項１乃至９のいずれか一項に記載のコンピュータ実施方法。
【請求項１１】
工程（ｉｉ）の前記コンピュータ生成ホログラフィック画像データ（ＨＤ）及び／又は工程（ｉｉｉ）の前記修正コンピュータ生成ホログラフィック画像データ（ＭＨＤ）はアクセス権にしたがって前記装着者識別子（ＷＥＡＲ  ＩＤ）に基づき判断される、請求項１０に記載のコンピュータ実施方法。
【発明の詳細な説明】
【技術分野】
【０００１】
本発明は、拡張現実感のための方法とシステムに関する。本発明はより具体的には、頭部装着装置（ＨＭＤ：ｈｅａｄ−ｍｏｕｎｔｅｄ  ｄｅｖｉｃｅ）による画像（特にはホログラフィック画像）の表示に関する。
【背景技術】
【０００２】
表示機構を有する頭部装着装置は当該技術分野で知られている。このような装置としては、拡張現実感のための画像又はテキストをその装着者が見られるようにする所謂「スマート眼鏡」が挙げられる。
【０００３】
装着者の視覚的快適性を改善するためには、画像とテキストが装着者及び／又は装着装置に特に適応化されたカスタマイズされたやり方で表示される方法及びシステムを提供することが望ましい。
【０００４】
さらに、装着者の人間工学的快適性を改善するためには、軽量かつ小型の頭部装着装置、特には使用時に低エネルギー所要量を有する装置を提供することが望ましい。
【０００５】
また、安全性に関して、データ交換のための通信に使用されるいくつかのタイプの電磁波（特にＨＭＤなど頭近傍に配置される装置の）は健康問題を生じ得る。したがって、その機能が装着者のこのような電磁波への露出を制限又は回避する頭部装着装置を提供することが望ましい。
【発明の概要】
【課題を解決するための手段】
【０００６】
本発明は一般的には、装着者特有視覚化パラメータを考慮することにより表示のカスタム化が実現される頭部装着装置による画像表示のための方法とシステムを提供する。このような視覚化パラメータは、装置の設計に関連するパラメータ及び／又は装着者処方箋データなどの装着者眼科データを含む。好ましい画像はコンピュータ生成ホログラフィック画像である。本発明によると、表示の質と装着者の視覚的経験は、光学収差に起因する画像歪みを補正することにより強化され得る。このような収差は、装置自体の幾何学形状及び設計及び／又は装着者の非正視及び／又は老眼から生じ得る。
【０００７】
好ましい実施形態では、本発明は、位相空間光変調器（ＳＬＭ：ｐｈａｓｅ  ｓｐａｔｉａｌ  ｌｉｇｈｔ  ｍｏｄｕｌａｔｏｒ）により画像表示を行う。ＳＬＭは「位相だけＳＬＭ：ｐｈａｓｅ−ｏｎｌｙ  ＳＬＭ」と「位相及び振幅ＳＬＭ：ｐｈａｓｅ  ａｎｄ  ａｍｐｌｉｔｕｄｅ  ＳＬＭ」とから選択され得る。位相変調は、波面において画像データと処方箋データの両方を符号化する可能性を提供するという点で極めて有利である。この符号化は、波面の位相に関するいかなる情報も伝達しない他の一般的ディスプレイでは不可能である。言い換えれば、ＳＬＭは、画像の符号化に加えて処方箋レンズの視覚的効果の仮想的符号化を可能にする。位相変調はまた、以下に記載する別の利点を提供する。
【０００８】
本発明は、装着者により装着される頭部装着型コンピュータ生成画像表示装置による表示のためのコンピュータ生成画像データを処理するコンピュータ実施方法を提供する。本方法は、
（ｉ）以下のデータ
−  装着者処方箋データ、装着者眼感度データ及び装着者眼科バイオメトリックデータを含む装着者眼科データ、及び
−  フレームデータ及びレンズデータを含む頭部装着装置データ、から選択される視覚化パラメータデータを提供する工程と、
（ｉｉ）コンピュータ生成画像データを提供する工程と、
（ｉｉｉ）工程（ｉ）の視覚化パラメータデータを考慮することにより工程（ｉｉ）のコンピュータ生成画像データから修正コンピュータ生成画像データを計算する工程と、
（ｉｖ）工程（ｉｉｉ）の修正コンピュータ生成画像データを上記表示装置へ提供する工程とを含む。
【０００９】
画像はホログラフィック画像であり得、及び／又は視覚化パラメータデータは乱視度、乱視軸、度数、プリズム及び加入度から選択された装着者処方箋データであり得る。
【００１０】
一実施形態では、画像はホログラフィック画像であり、コンピュータ生成画像データはコンピュータ生成ホログラフィック画像データであり、修正コンピュータ生成画像データは修正コンピュータ生成ホログラフィック画像データである。本方法は、（ｖ）上記装置の照射により工程（ｉｉｉ）の修正コンピュータ生成ホログラフィック画像データからホログラフィック画像を表示するのに好適な（するように構成、配置された）光ビームを少なくとも１つの光源により発射する工程を含み、光源は、遠隔照射端末（ｒｅｍｏｔｅ  ｌｉｇｈｔｉｎｇ  ｔｅｒｍｉｎａｌ）上に設けられる及び／又は上記装置に内蔵される。
【００１１】
光源は遠隔照射端末上に設けられ得、光源はデータを送信するように配置され得、
−  工程（ｉｉ）はコンピュータ生成ホログラフィック画像データを光源から上記装置へ送信する工程を含み得る、又は
−  工程（ｉｖ）は修正コンピュータ生成ホログラフィック画像データを光源から上記装置へ送信する工程を含み得る。
【００１２】
一実施形態では、工程（ｉ）の視覚化パラメータデータの少なくとも１つは上記装置上のメモリ内に格納される。
【００１３】
この実施形態では、工程（ｉ）は、（ｉ−ａ）少なくとも１つの通信端末により装着者の存在を検出する工程と、（ｉ−ｂ）工程（ｉ−ａ）において検知された存在に応じて、視覚化パラメータデータを上記装置から通信端末へ送信する工程とを含み得、工程（ｉｉｉ）は修正コンピュータ生成画像データを通信端末から上記装置へ送信する工程を含み得る。
【００１４】
一実施形態では、工程（ｉ）の視覚化パラメータデータの少なくとも１つは、視覚化パラメータ識別子に関連して、通信ネットワークを介し少なくとも１つの通信端末へ接続される通信サーバ上の装着者データベース内に格納される。このような識別子は、視覚化パラメータデータ（ＶＰＤ：ｖｉｓｕａｌｉｚａｔｉｏｎ  ｐａｒａｍｅｔｅｒ  ｄａｔａ）の検索を可能にする識別子として定義され得る。
【００１５】
この実施形態では、工程（ｉ）は、
（ｉ−ａ）少なくとも１つの通信端末により装着者の存在を検出する工程と、
（ｉ−ｂ）工程（ｉ−ａ）において検知された存在に応じて、視覚化パラメータデータを通信サーバから通信端末へ送信する工程と、
任意選択的に、（ｉ−ｃ）視覚化パラメータデータを通信端末から上記装置へ送信する別の工程とを含み得る。
【００１６】
工程（ｉｉｉ）は、
−  修正コンピュータ生成画像データを通信端末から上記装置へ送信する工程と、
−  任意選択的に、修正コンピュータ生成画像データを通信サーバから通信端末へ送信する前工程とを含み得る。
【００１７】
一実施形態では、コンピュータ生成画像データ又は修正コンピュータ生成画像データは画像データベース内に格納され、本方法は、上記データベース内に、装着者識別子と装着者との関連性を事前登録する予備工程を含み、工程（ｉｉ）のコンピュータ生成画像データ及び／又は工程（ｉｉｉ）の修正コンピュータ生成画像データは装着者識別子にしたがって（任意選択的にアクセス権にしたがって）判断（定義）される。
【００１８】
本発明のシステムと装置
本発明は、
−  照射によりホログラフィック画像を表示するのに好適な（するように構成、配置された）光源と、
−  任意選択的に、頭部装着型コンピュータ生成ホログラフィック画像表示装置を備える装着者の存在を検知するのに好適な（するように構成、配置された）センサと、
−  任意選択的に、視覚化パラメータデータ、コンピュータ生成ホログラフィック画像データ、及び修正コンピュータ生成ホログラフィック画像データから選択されたデータを上記端末から及び／又は上記端末へ送信するのに好適な（するように配置され、構成された）通信インターフェースとを含む照射端末を提供する。
【００１９】
この照射端末は、画像がホログラフィック画像である場合に本発明の方法を実施するのに好適である（するように構成、配置される）。
【００２０】
一実施形態では、光源はさらに、コンピュータ生成ホログラフィック画像データ及び／又は修正コンピュータ生成ホログラフィック画像データを照射端末から送信するのに好適である（するように配置され、構成される）。
【００２１】
本発明は、本明細書に記載されるような複数の照射端末を含むシステムを提供し、照射端末のそれぞれは照射ネットワーク（ｌｉｇｈｔｉｎｇ  ｎｅｔｗｏｒｋ）を介し照射サーバ（ｌｉｇｈｔｉｎｇ  ｓｅｒｖｅｒ）へ接続される。
【００２２】
本システムは、画像がホログラフィック画像である場合に本発明の方法を実施するのに好適である（するように構成され、配置される）。
【００２３】
本発明はまた、頭部装着型コンピュータ生成画像表示装置を提供する。本装置は、
−  例えばＬＣｏＳ（液晶オンシリコン：ｌｉｑｕｉｄ  ｃｒｙｓｔａｌ  ｏｎ  ｓｉｌｉｃｏｎ）又はガラス透過型アクティブマトリックス液晶で作られた位相及び／又は振幅空間光変調器と、
−  任意選択的に、照射次第画像を表示するのに好適な（するように配置され、構成された）光源と、
−  任意選択的に、視覚化パラメータデータ、コンピュータ生成ホログラフィック画像データ、及び修正コンピュータ生成ホログラフィック画像データから選択されたデータを上記端末から及び／又は上記端末へ送信するのに好適な（するように配置され、構成された）通信インターフェースとを含む。
【００２４】
本装置は、本発明の方法を実施するのに好適である（するように構成、配置される）。
【００２５】
本発明はまた、装着者処方箋準拠頭部装着表示装置の製造のために位相及び／又は振幅空間光変調器（ＳＬＭ（好適にはＬＣｏＳ  ＳＬＭ又はガラス透過型アクティブマトリクスＬＣ  ＳＬＭ）を使用することに関連する。
【００２６】
本発明はまた、位相及び／又は振幅空間光変調器（ＳＬＭ）すなわちＳＬＭ（好適にはＬＣｏＳ  ＳＬＭ又はガラス透過型アクティブマトリクスＬＣ  ＳＬＭ）の医療利用（装着者処方箋準拠頭部装着表示装置における非正視補正のための利用）に関する。
【図面の簡単な説明】
【００２７】
【図１】本発明の方法の実施形態を示す。
【図２】本発明の方法の実施形態を示す。
【図３】本発明の方法の実施形態を示す。
【図４】本発明の方法の実施形態を示す。
【図５】本発明の方法の実施形態を示す。
【図６】本発明の方法の実施形態を示す。
【図７】本発明の方法の実施形態を示す。
【図８】本発明の方法の実施形態を示す。
【図９】本発明の方法に有用な例示的データベースの構造を示す。
【図１０】本発明の方法に有用な例示的データベースの構造を示す。
【図１１】本発明の方法に有用な例示的データベースの構造を示す。
【図１２】本発明の頭部装着装置の例示的構造を示す。
【図１３】本発明の頭部装着装置の例示的構造を示す。
【図１４】本発明の頭部装着装置の例示的構造を示す。
【発明を実施するための形態】
【００２８】
以下の定義は本発明を説明するために与えられる。
【００２９】
「コンピュータ生成画像」は当該技術分野で知られている。本発明によると、コンピュータ生成画像はコンピュータ生成ホログラフィック画像だけでなく２Ｄ回折像などの他のタイプのコンピュータ生成画像も含む。本発明において好ましいコンピュータ生成画像はコンピュータ生成ホログラフィック画像である。
【００３０】
「コンピュータ生成ホログラフィック画像」は当該技術分野で知られている。このようなホログラフィック画像はコンピュータ生成ホログラムを読み出す（照射する）ことにより表示され得る。コンピュータ生成ホログラムは合成又はディジタルホログラムとも呼ばれる。コンピュータ生成ホログラムは通常、２Ｄ又は３Ｄ画像を選択しそのホログラムをディジタル的に計算することにより得られる。ホログラフィック画像は、光学的再構築により、すなわち好適な光ビーム（ホログラムの基準ビーム）によりホログラムを照射すること（読み出すこと）により表示され得る。画像は、物理的スクリーン又は支持体上に表示され得るという点で「リアル」であり、又は「空中」（仮想的）である。ホログラムは後で説明するようにホログラフィック支持体上へ印刷されてもよいしＳＬＭ上に実現されてもよい。
【００３１】
「画像データ」ＩＤは当該技術分野で知られている。「画像データ」ＩＤは通常、被験者による視覚化のための画像の表示を可能にする符号化データ（符号化データの組）を含む。画像はコンピュータ生成ホログラフィック画像などのコンピュータ生成画像であり得る。画像データは、画像自体（その「コンテンツ」）の符号化データを含むが、また、装着者の視野（例えば、装置ＨＭＤのフレームを基準とした）内の画像の表示の位置、及び／又は視覚化（ズーム又は拡大）される画像のサイズ、及び／又は視覚化される画像の焦点面の位置の符号化データをさらに含み得る。画像データは、例えば多重表示のために表示されるいくつかの画像を提供し得る。画像データは、１つの色（例えば、白と黒）で、又は２つ以上の色で（例えば、少なくとも３つの色（例えば、三原色）を使用して）画像を提供し得る。本発明によると、コンピュータ生成画像データＩＤは、修正されてもよいし（修正コンピュータ生成画像データＭＩＤ）、されてなくてもよい（コンピュータ生成画像データＩＤ）。上記データＩＤ又はＭＩＤは、表示を可能にするために復号化され得る。本発明によると、データは、ＨＭＤのメモリ内に、及び／又は通信端末ＣＯＭ  ＴＥＲＭなどの端末上のメモリ内に、及び／又は通信サーバＣＯＭ  ＳＥＲＶなどのサーバを介しアクセス可能なデータベース内に格納され得る。コンピュータ生成画像データＩＤ又はＭＩＤは画像データベースＩＭ  ＤＢ内に格納され得る。データベースＩＭ  ＤＢは、画像データの組を格納及び検索するのに好適な（するように構成、配置された）メモリを含み、通信サーバＣＯＭ  ＳＥＲＶなどのサーバの一部であってもよいし、通信ネットワークＣＯＭ  ＮＥＴＷを介しサーバへ接続されてもよい。
【００３２】
「コンピュータ生成ホログラフィック画像データ」ＨＤは当該技術分野で知られている。「コンピュータ生成ホログラフィック画像データ」ＨＤは通常、被験者による視覚化のためのコンピュータ生成ホログラフィック画像の表示を可能にする符号化データ（符号化データの組）を含む。コンピュータ生成ホログラフィック画像データは、画像（２Ｄ、３Ｄ）の画素毎の位相及び振幅についての情報を含むコンピュータ生成ホログラフィック画像自体（絵、アルファベット及び数字、及びそれらの組合せ等々であり得るその「コンテンツ」）の符号化データを含む。コンピュータ生成ホログラフィック画像データはまた、装着者の視野（例えば、装置ＨＭＤのフレームを基準とした）内のホログラフィック画像の表示の位置、及び／又は視覚化（ズーム又は拡大）されるホログラフィック画像のサイズ、及び／又は視覚化されるホログラフィック画像の焦点面の位置の符号化データをさらに含み得る。ホログラフィック画像位置、サイズ及び焦点面のためのこのようなデータは、内蔵光源を有する装置ＨＭＤ上のホログラフィック画像の表示のために特に有用である。装置ＨＭＤが内蔵光源を有しない場合、すなわち光源が装置ＨＭＤから遠く離れている場合、位置及び焦点面のデータはコンピュータ生成ホログラフィック画像データ内に暗黙的に含まれると考えられ得る。しかし、上記データはさらに、画像のサイズの（例えば、ズーミングの）データを含み得る。コンピュータ生成ホログラフィック画像データはまた、例えば多重表示のために表示されるいくつかの画像を提供し得る。コンピュータ生成ホログラフィック画像データは、１つの色（例えば、白と黒）で、又は２つ以上の色で（例えば、少なくとも３つの色（例えば、三原色）を使用して）画像を提供し得る。コンピュータ生成ホログラフィック画像自体（その「コンテンツ」）の符号化データは、有利には位相符号化される。本発明によると、コンピュータ生成ホログラフィック画像データＨＤは、修正されてもよいし（修正コンピュータ生成ホログラフィック画像データＭＨＤ）されなくてもよい（コンピュータ生成ホログラフィック画像データＨＤ）。データＨＤ又はＭＨＤは、復号化され、表示手段（例えば、ＳＬＭ）へ送信され得、好適に照射（構成、配置され）次第、ホログラムの読み出し及び当該ホログラフィック画像の表示を可能にする。本発明によると、データＨＤ又はＭＨＤは、ＨＭＤのメモリ内に、及び／又は通信端末ＣＯＭ  ＴＥＲＭなどの端末上のメモリ内に、及び／又は通信サーバＣＯＭ  ＳＥＲＶなどのサーバを介しアクセス可能なデータベース内に格納され得る。ホログラフィック画像データＨＤ又はＭＨＤの組は、コンピュータ生成ホログラフィック画像データのホログラフィック画像データベースＨＯＬＯ  ＤＢ及び／又は修正コンピュータ生成ホログラフィック画像データの修正ホログラフィック画像データベースＭ  ＨＯＬＯ  ＤＢ内に格納され得る。データベースＤＢはホログラフィック画像データの組を格納及び検索するのに好適な（するように構成、配置された）メモリを含み、通信サーバＣＯＭ  ＳＥＲＶなどのサーバの一部であってもよいし、通信ネットワークＣＯＭ  ＮＥＴＷを介しサーバへ接続されてもよい。���ンピュータ生成ホログラフィック画像データベースの構造の例が図１０〜図１１に示される。図１０は、コンピュータ生成ホログラフィック画像データＨＤを含むデータベースＨＯＬＯ  ＤＢの例を示す。ホログラフィック画像はアルファベット文字及び数字（文字「Ａ」、「Ｂ」などと数字「１」、「２」など）又は絵などのより複雑な画像であり得る。データは装着者の視野内の画像の位置ＬＯＣを含み得る。さらに、データの組はアクセス権ＡＣにしたがって判断（定義）され得る。図１１は、修正コンピュータ生成ホログラフィック画像データＭＨＤのデータベースＭ  ＨＯＬＯ  ＤＢの例を示す。図１０と同じホログラフィック画像が示されるが、装着者の処方箋データを考慮するように不正視装着者のために修正される。図１０〜図１１で、無修正コンピュータ生成ホログラフィック画像データＨＤ又は修正コンピュータ生成ホログラフィック画像データＭＨＤの各組は、例えば識別子（ＨＯＬＯ  ｉ、Ｍ  ＨＯＬＯ  ｉ）を使用してデータベースから検索される。図１０〜図１１は画像データベースＩＭ  ＤＢ、Ｍ  ＩＭ  ＤＢへ一般化され得る。
【００３３】
「サーバ」ＳＥＲＶは当該技術分野で知られている。サーバＳＥＲＶは拡張ネットワークＮＥＴＷを介し複数の端末ＴＥＲＭへ接続され得る。ネットワークＮＥＴＷは、データ送信を可能にし、無線周波数通信（Ｗｉ−Ｆｉ、ブルートゥース、３Ｇ、４Ｇなど）などの無線通信、及び／又はＬｉ−Ｆｉ又はＦＳＯなどの光通信（赤外線ＩＲ、近赤外線ＮＩＲ、短波長赤外線ＳＷＩＲ、可視光など）、及び／又は有線通信（イーサネット（登録商標）、光ファイバ）に依存し得る。サーバＳＥＲＶは１又は複数のデータベースＤＢを含み得る及び／又は１又は複数のデータベースＤＢへ接続され得る。サーバＳＥＲＶは通信サーバＣＯＭ  ＳＥＲＶ及び／又は照射サーバＬＩＧＨＴ  ＳＥＲＶであり得る。
【００３４】
「データ提供」は当該技術分野で知られた手段により行われ得る。データは、無線通信（Ｗｉ−Ｆｉ、ブルートゥース、３Ｇ、４Ｇを含むＲＦ；Ｌｉ−Ｆｉ又はＦＳＯ、ＩＲ、近赤外線ＩＲ、可視光を含む光通信など）により、又はエンティティからエンティティへの有線通信（例えば、イーサネット（登録商標）ケーブル、ＵＳＢポート、光ファイバなどを介した）により提供され得る。光通信は、あり得る安全懸念に関して好ましいかもしれない。実際、Ｌｉ−Ｆｉ又はＦＳＯなどによる光通信の使用は、健康問題を引き起こし得るいくつかのタイプの波形（Ｗｉ−Ｆｉなど）への露出を制限できるようにする。これは、このような装置が脳の近傍で装着するためのものであるので、特に頭部装着装置とのデータの通信へ適用される。
【００３５】
データは、格納データを含むメモリ又はデータベースへのアクセス及びそれからの検索により提供され得る（アクセスと検索は、直接的であっても間接的であってもよい、条件付きであってもなくてもよい、等々）。データはまた、捕捉により（例えば、ディジタル画像を撮ることにより）提供され得る。データの捕捉は、ディジタル映像を記録することなどによる「ライブ」又はリアルタイムすなわち連続的であり得る。データはまた、例えば「手動」設定（触覚手段などによる捕捉）により類推的に提供され得る。
【００３６】
データ提供はまた、予め定義されたアクセス権及び／又は所与端末（センサ）近傍における存在の検知に依存し得る。
【００３７】
「頭部装着表示装置」（ＨＭＤ）は当該技術分野で知られている。ヘルメット装着型ディスプレイ、光学的頭部装着型ディスプレイ、頭部装着型ディスプレイなどを含むこのような装置は装着者の頭上に又はその周囲に装着される。これらは、装着者による視覚化のための画像を表示する光学的手段を含む。ＨＭＤは、コンピュータ生成画像だけのための、又はコンピュータ生成画像と「現実」視野との重畳視覚化のための表示を提供し得る。ＨＭＤは単眼又は双眼（両眼）であり得る。本発明のＨＭＤは、眼鏡、スキー又は潜水マスクなどのマスク、ゴーグルなどを含む様々な形式を採り得る。ＨＭＤは１又は複数のレンズを含み得る。レンズは処方箋レンズから選択され得る。本発明によると、ＨＭＤは空間光変調器（ＳＬＭ）を含む。好ましい実施形態では、ＨＭＤはレンズを備えた一対の眼鏡である。本発明の装置ＨＭＤの例が図１２〜図１４に示される。
【００３８】
「空間光変調器」（ＳＬＭ）は当該技術分野で知られている。ＳＬＭは、位相ＳＬＭ、「位相だけＳＬＭ」、「振幅だけＳＬＭ：ａｍｐｌｉｔｕｄｅ−ｏｎｌｙ  ＳＬＭ」、又は「位相及び振幅ＳＬＭ」であり得る。有する場合は、振幅変調は、好適には位相変調から独立しており、中間調という意味で画質を改善するように画像スペックルの低減を可能にする。好ましい実施形態では、ＳＬＭは「位相ＳＬＭ」又は「位相だけＳＬＭ」である。本発明によると、ＳＬＭは、
−  反射ＳＬＭ（表示を引き起こす光ビームはＳＬＭ上で反射される）であり得る。その例としては、ＬＣｏＳ（液晶オンシリコン）材料で作られたＳＬＭが挙げられる。可能な商業的供給源としては、Ｈｏｌｏｅｙｅ、Ｂｏｕｌｄｅｒ  Ｎｏｎｌｉｎｅａｒ  Ｓｙｓｔｅｍｓ、Ｓｙｎｄｉａｎｔ、Ｃａｍｂｒｉｄｇｅ  ｔｅｃｈｎｏｌｏｇｉｅｓが挙げられる。反射ＳＬＭを含む本発明の装置ＨＭＤはさらに、ホログラフィックミラー又は
−  透過ＳＬＭ（表示を引き起こす光ビームはＳＬＭを通る）を含む。好適には、透過ＳＬＭは「シー・スルー」又は「透明」ＳＬＭ、すなわち＞８５％又は＞９０％の透過率を有するＳＬＭである。このような「シー・スルー」ＳＬＭは視野を損なうこと無しに装着者の眼の前に直接配置され得るので有利である。その例としては、ガラス上の薄いシリコン（ＳＯＩ：シリコンオンインシュレータ）又はサファイヤ基板又はガラス透過型アクティブマトリックス液晶で作られる透明アクティブマトリクスが挙げられる。このような製品はＣｉｔｉｚｅｎ  Ｆｉｎｅｔｅｃｈ  Ｍｉｙｏｔａにより開発された。他の例としては、アモルファスシリコン、ＩＧＺＯなどのＬＣＤ型透明アクティブマトリクスが挙げられる。可能な商業的供給源の例としてはＢｏｕｌｄｅｒ  Ｎｏｎｌｉｎｅａｒ  Ｓｙｓｔｅｍｓが挙げられる。透過ＳＬＭを含む本発明の装置ＨＭＤはホログラフィックミラーを含んでも含まなくてもよい。
【００３９】
ＳＬＭは好適には以下の特徴の１つ又は複数、好適にはすべてを含む。
−  ＜１０μｍの画素サイズ、好適には＜５μｍ又は＜４μｍ。間隔が空いた回折次数（選択／精選することが容易な）を有するように、そして位相の好適な（構成、配置された）空間サンプリングを提供してより高い解像度を有する画像及びその詳細のより良好な再生を生じるように、小さな画素サイズを有するＳＬＭを選択することが好ましい。さらに、より小さな画素サイズは、回折角がより大きいのでより広い視野の画像の可能性を提供する。
−  ＞８５％、好適には＞９０％の回折効果。これは、改善された動力学（応答）、及び単一画素の位相の好適な（構成、配置された）サンプリングを提供するので、望ましい。
−  非可視コマンドマトリックスとハードウェア（画素を操るための）
−  ＞２πの位相動力学
−  １６レベル（４ビット）以上の位相サンプリング
−  ＞９０％、好適には＞９５％の充填比（画素有用領域）。
【００４０】
本発明によると、位相ＳＬＭは、その画像データが位相符号化される画像の表示を可能にするという点で有利である。位相符号化は、画像の所与の表示に必要なエネルギーを低下させる（「振幅だけ変調符号化：ａｍｐｌｉｔｕｄｅ−ｏｎｌｙ−ｍｏｄｕｌａｔｉｏｎ  ｃｏｄｉｎｇ」と比較していかなる輝度損失も無い）。したがって、ＨＭＤのエネルギー消費量は、より少ない計算資源要件のために低減され得るので有利である。しかし、ＳＬＭがまた振幅変調を許容することもまた有利である。これは、この場合、計算がより多くの資源を必要とし、したがってより多くのエネルギーを消費し得るとしても改善された画質を提供するためである。これは、より小さな電池の使用を可能にし、したがってＨＭＤの容積を低減し、装置のエネルギー自律性を拡張する。本発明によると、ＳＬＭは、「プログラム可能」ホログラム、すなわち所望ホログラフィック画像の表示を可能にする電子的アドレス指定可能読み出し支援器（ｅｌｅｃｔｒｏｎｉｃａｌｌｙ  ａｄｄｒｅｓｓａｂｌｅ  ｒｅａｄｉｎｇ  ｓｕｐｐｏｒｔ）として働く。
【００４１】
「視覚化パラメータデータ」（ＶＰＤ）は、頭部装着装置ＨＭＤデータ（フレームデータＦＤ及びレンズデータＬＤなど）及び装着者眼科データＯＤ（ＯＤは、処方箋データＰＤ、眼感度データＳＤ及びバイオメトリックデータＢＤなどのデータを含む）のうちの１又は複数を含む。ＶＰＤはＨＭＤに内蔵されたメモリ上に格納され得る、及び／又はサーバを介しアクセス可能な専用データベース上に格納され得る。視覚化パラメータデータＶＰＤは、ＯＤ（装着者に固有な）及びＨＭＤＤデータ（装着者により選択された装置に固有な）を含むので装着者カスタマイズド（ｗｅａｒｅｒ−ｃｕｓｔｏｍｉｚｅｄ）データと考えられ得る。
【００４２】
「頭部装着装置データ」ＨＭＤＤは、ＨＭＤ装置の物理的特徴（特にＨＭＤの設計、幾何学形状、又は構造に関する）に対応する一組の１又は複数のデータを指す。このようなＨＭＤＤは、フレームデータＦＤ及び／又はレンズデータＬＤなどのデータを含む。ＨＭＤＤは、ＨＭＤに内蔵されたメモリ上に格納され得る及び／又はサーバを介しアクセス可能な専用データベース上に格納され得る。本発明によると、このようなデータは、ＨＭＤによる表示を最適化するのに（特にＨＭＤの幾何学形状から生じる光学収差を補正するのに）極めて有用である。装着者は、当該ＨＭＤＤデータを有する所与のＨＭＤ装置を選択し得る。このようなＨＭＤＤデータは、ＨＭＤＤデータが装着者により選択される装置のものであるので、装着者カスタマイズド視覚化パラメータデータと考えられ得る。
【００４３】
「フレームデータ」は、ＨＭＤの構造に関係する一組の１又は複数のデータを指し、ＨＭＤ内のＨＭＤの１つの素子の相対的位置などの設計パラメータを含み得る。これは、ＳＬＭの位置、光源の相対的位置、そしてもしあればＳＬＭとＨＭＤのレンズ間の距離、等々を含む。これはまた、ＳＬＭ及び光源の特徴に関連するデータを含む。
【００４４】
「レンズデータ」（ＬＤ：Ｌｅｎｓ  ｄａｔａ）は眼用レンズを特徴付ける一組の１つ又は複数のデータを指す。上記データは、１又は複数の幾何学的（表面）特徴及び／又はレンズ材料の光学指標などのレンズの１つ又は複数の光学特徴を定義するデータを含む。レンズデータＬＤはレンズの後面に及び／又はレンズの前面に又はそれらの相対位置に対応し得る。レンズデータＬＤはさらに、レンズの一般的幾何学形状に関連するデータ（例えば、曲率の平均半径、凸面データなど）を含み得る。レンズデータＬＤはまた、レンズ上に存在するレンズの表面被膜に関するデータ及びその特徴、レンズ上に存在するホログラフィックミラーに関連するデータ及びその特徴、又はレンズ中に存在する電気的着色材料に関連するデータ及びその特徴を含み得る。
【００４５】
「装着者眼科データ」又は「眼科データ」ＯＤは当該技術分野で知られている。装着者眼科データは、装着者処方箋データＰＤ、装着者眼感度データＳＤ及び装着者眼科バイオメトリックデータＢＤを含み、通常は、例えば色収差、眼水晶体の欠如（無水晶体症）などに関連するデータを含む任意の装着者視覚欠陥に関連するデータを含む。
【００４６】
「処方箋データ」ＰＤは当該技術分野で知られている。処方箋データは、装着者のために得られる１又は複数のデータであって、眼毎に処方箋遠方視力平均屈折力ＰＦＶ、及び／又は処方箋乱視値ＣＹＬＦＶ、及び／又は処方箋乱視軸ＡＸＥＦＶ、及び／又は各眼の非正視及び／又は老眼を矯正するのに好適な処方箋加入度Ａを示す１又は複数のデータを指す。平均屈折力ＰＦＶは、処方箋乱視値ＣＹＬＦＶの半値と処方箋球値ＳＰＨＦＶとを合計することにより得られる：ＰＦＶ＝ＳＰＨＦＶ＋ＣＹＬＦＶ／２。このとき、各眼の近接（近方）視平均屈折力ＰＮＶは、処方箋加入度Ａと同眼に対して処方箋された遠方視平均屈折力ＰＦＶとを合計することにより得られる：ＰＮＶ＝ＰＦＶ＋Ａ。累進レンズの処方箋の場合、処方箋データは、眼毎のＳＰＨＦＶ、ＣＹＬＦＶ、Ａの値を示す装着者データを含む。好ましい実施態様では、装着者処方箋データＰＤは、乱視度、乱視軸、度数、プリズム及び加入度、及びより一般的には任意の所与の視覚欠陥の補正を示す任意のデータから選択される。このような欠陥は、部分的網膜剥離、網膜又は虹彩又は角膜奇形から生じ得る。
【００４７】
「装着者眼感度データ」ＳＤは当該技術分野で知られている。装着者眼感度データは、スペクトル感度（１又は複数の波長又はスペクトル帯に対する）、輝度感度などの一般的感度例えば屋外輝度感度のデータを含む。このようなデータは、装着者による画像の視覚化のためのコントラストを最適化するために重要である。
【００４８】
「装着者眼科バイオメトリックデータ」又は「バイオメトリックデータ」ＢＤは当該技術分野で知られている。バイオメトリックデータは、装着者の形態論に関連するデータを含み、通常は、単眼瞳孔距離、瞳孔間距離、眼の軸方向長、眼の回転中心の位置、遠点、近点などのうちの１又は複数を含む。
【００４９】
「装着者データベース」ＷＥＡＲ  ＤＢは、装着者視覚化パラメータデータＶＰＤを格納及び検索するのに好適な（するように構成、配置された）メモリを含むデータベースである。データベースとメモリは当該技術分野で知られている。視覚化パラメータデータの検索は、視覚化パラメータ識別子ＶＰ  ＩＤなどの専用ポインタを利用して達成され得る。装着者データベースＷＥＡＲ  ＤＢの一例の構造が図９に示される。図９で、識別子ＷＥＡＲ  ＩＤは視覚化パラメータ識別子ＶＰ  ＩＤとして働き得る。各装着者識別子ＷＥＡＲ  ＩＤ１、２、．．．、ｎは、装着者の右眼ＲＥと左眼ＬＥのそれぞれの様々な処方箋データＰＤ（ここでは度数Ｐ、乱視ＡＳＴＩ、加入度ＡＤＤなどとして示される）の検索を可能にする。
【００５０】
「光源」ＬＩＧＨＴ  ＳＯＵＲＣは当該技術分野で知られている。本発明によると、光源ＬＩＧＨＴ  ＳＯＵＲＣは、装着者による視覚化のための画像を表示するのに好適な（するように構成、配置された）光ビームを発射し得る任意の光源である。ホログラフィック画像の表示に関しては、光ビームはホログラムの基準ビームを含む。画像は、光源ＬＩＧＨＴ  ＳＯＵＲＣによるＨＭＤ装置の照射次第、修正コンピュータ生成画像データ（例えば、修正コンピュータ生成ホログラフィック画像データ）から表示され得る。光源ＬＩＧＨＴ  ＳＯＵＲＣは、少なくとも部分的にコヒーレントであり、好適には疑似的又は完全にコヒーレント（空間的かつスペクトル的に）である。光のコヒーレンスは通常、空洞共振器内の活性媒体中の誘導放出から生じる。コヒーレンスは、誘導放出に使用されるいくつかの媒体の自発的放出だけに部分的に起因し得る。コヒーレント源の例としては、レーザダイオードと狭帯域レーザダイオードが挙げられる。部分的コヒーレント源の例としては、いくつかのレーザダイオード、変調レーザダイオード、Ｓ−ＬＥＤ、いくつかのＬＥＤが挙げられる。別の例は欧州特許第０，４２１，４６０Ｂ１号明細書に記載されている。好適には、本発明によると、光源ＬＩＧＨＴ  ＳＯＵＲＣは、完全なコヒーレンスから生じるスペックル効果を抑制するようにほぼ完全にコヒーレント（準コヒーレント）であり得る。
【００５１】
本発明によると、光源ＬＩＧＨＴ  ＳＯＵＲＣは、単色又は多色、例えば三色であり得る。単色使用のためには、画像表示のために発射される光ビームは緑色光（約５００〜５６０ｎｍの波長）を含むことが好ましい。緑色光は、人間の網膜がこの範囲内の波長により敏感であるので、より低いエネルギー（例えば、＜１ｍＷ）という点で有利である。約５２０〜５５０ｎｍで発射する単色光源の例としては、クラス２レーザ、５３２ｎｍのレーザ、５２０ｎｍのレーザダイオード（例えば、Ｏｓｒａｍ又はＮｉｃｈｉａ製の）、約５５０ｎｍで発射するＬＥＤ、等々が挙げられる。好適には、単色源の電力は＜１０ｍＷである。他の好適な単色光源としては、赤色６１５〜６４５ｎｍ、緑色５２０〜５５０ｎｍ、青色４３５〜４６５ｎｍが挙げられる。多色使用のためには、撮像に使用される規格に近い波長（赤、緑、青色）（赤６１５〜６４５ｎｍ、緑５２０〜５５０ｎｍ、青色４３５〜４６５ｎｍ）を使用することが好ましい。３つの別個（赤、緑、青色）の源が使用される場合、それぞれの源は好適には＜１ｍＷの電力を有する。多色光源の例としては、レーザ、レーザダイオード、ＬＥＤ又はＳ−ＬＥＤが挙げられる。好適には、少なくとも３、好適には４又は５の異なる放射波長が色の品質を改善するように組み合わせて使用され得る。
【００５２】
好ましい実施態様では、いくつかの外部光源（自然光、装着者環境内の他のＬＥＤ等々）から生じる雑音を回避するために、本発明の光源ＬＩＧＨＴ  ＳＯＵＲＣは、同期検波と同様に、装置に関連する特定周波数と同期し得る。上記周波数は、画像変調を可視化するのを回避するようにフリッカ周波数よりはるかに高いことが好ましい。このとき、このような同期は、光源ＬＩＧＨＴ  ＳＯＵＲＣと装置ＨＭＤにより表示された画像間に必要である。したがって、いくつかの実施形態では、次の２つの同期段階がある：寄生光源との望ましくない相互作用を回避するために照射光源ＬＩＧＨＴ  ＳＯＵＲＣを識別する段階と、正しい色で正しい画像を表示するための変調段階。
【００５３】
照射は、所望表示を引き起こすために好適な（構成、配置された）光ビームが装置ＨＭＤ（及びそのＳＬＭ）を照射し得る限り、指向性である必要はない。本発明によると、光源ＬＩＧＨＴ  ＳＯＵＲＣは、照射端末ＬＩＧＨＴ  ＴＥＲＭ上に設けられ得る及び／又はＨＭＤ装置に内蔵され得る。一実施形態では、光源ＬＩＧＨＴ  ＳＯＵＲＣは遠隔照射端末ＬＩＧＨＴ  ＴＥＲＭ上に設けられる（すなわちＨＭＤの上の別個の端末）。照射端末ＬＩＧＨＴ  ＴＥＲＭはネットワークＮＥＴＷを介しサーバＳＥＲＶへ接続されてもされなくてもよい。照射端末ＬＩＧＨＴ  ＴＥＲＭ上に設けられると、光源ＬＩＧＨＴ  ＳＯＵＲＣは発散し得る。光源ＬＩＧＨＴ  ＳＯＵＲＣによる光ビームの放射は、照射端末ＬＩＧＨＴ  ＴＥＲＭ近傍の人が装置ＨＭＤを備えているかどうかに関係なく、照射端末ＬＩＧＨＴ  ＴＥＲＭ近傍の人の視環境を乱さない。さらに、発散性でかつ低電力（約＜１００ｍＷ）の光源ＬＩＧＨＴ  ＳＯＵＲＣの使用は、ＨＭＤ装着者とＨＭＤ非装着者がレーザの使用により危険にさらされないので眼の安全性という意味で有利である。本発明によると、光源ＬＩＧＨＴ  ＳＯＵＲＣはまた、データを送信するのに好適である（するように構成、配置される）ことが好ましい。好適な実施形態は、照射により画像を表示させること及びデータを送信することの両方に好適な（構成、配置された）光源ＬＩＧＨＴ  ＳＯＵＲＣを含む。データを送信する際、光源ＬＩＧＨＴ  ＳＯＵＲＣは光（可視光）通信により（例えば、Ｌｉ−Ｆｉ又はＦＳＯ通信により）データを発射し得る。データは、コンピュータ生成画像データ（修正又は非修正ＩＤ又はＭＩＤ）、コンピュータ生成ホログラフィック画像データ（修正又は非修正ＭＨＤ又はＨＤ）又はＰＤなどのＶＰＤであり得る。データは、例えばフリッカ周波数より高い（特には７５Ｈｚ以上又は８０Ｈｚ以上の周波数）変調により連続的に発射され得る。このような周波数は人間の眼に感知されなく、画像表示のための光ビームは「現実生活」における視界と干渉しない。
【００５４】
「端末」ＴＥＲＭは当該技術分野で知られている。本発明によると、端末ＴＥＲＭは照射端末ＬＩＧＨＴ  ＴＥＲＭと通信端末ＣＯＭ  ＴＥＲＭを含む。端末ＴＥＲＭは同時に通信端末と照射端末とであり得る。これは、有利には、本発明によると、光源ＬＩＧＨＴ  ＳＯＵＲＣもまたＨＭＤへデータを送信するのに好適である（するように構成され、配置された）場合であろう。端末は、固定地理的座標又は固定ＧＰＳ座標を有する端末と、非固定地理的座標又は非固定ＧＰＳ座標を有する端末とを含む。固定地理的又はＧＰＳ座標を有する端末としては、列車駅、地下鉄駅、博物館、空港内、交通信号灯などに配置される端末が挙げられる。非固定ＧＰＳを有する端末としては、スマートフォン、タブレット、車両搭載ボックス、ＴＶセットトップボックス、インターネットセットトップボックス、コンピュータなどが挙げられる。いくつかの実施形態では、端末はスマートフォン以外及び／又はタブレット以外である。端末は携帯型であってもなくてもよい。端末は、スタンドアロンである又はネットワークに接続されるかのいずれかである。
【００５５】
本発明は、頭部装着装置による画像のカスタマイズド表示のための方法とシステム（端末、装置）を提供する。
【００５６】
本発明の方法
一態様では、本発明は、装着者により装着される頭部装着型コンピュータ生成画像表示装置ＨＭＤによる表示のためのコンピュータ生成画像データを処理するコンピュータ実施方法に関する。本方法は、
（ｉ）以下のデータ
−  装着者処方箋データＰＤ、装着者眼感度データＳＤ及び装着者眼科バイオメトリックデータＢＤを含む装着者眼科データＯＤ、及び
−  フレームデータＦＤ及びレンズデータＬＤを含む頭部装着装置データＨＭＤＤ、から選択される視覚化パラメータデータＶＰＤを提供する工程と、
（ｉｉ）コンピュータ生成画像データＩＤを提供する工程と、
（ｉｉｉ）工程（ｉ）の視覚化パラメータデータＶＰＤを考慮することにより工程（ｉｉ）のコンピュータ生成画像データＩＤから修正コンピュータ生成画像データＭＩＤを計算する工程と、
（ｉｖ）工程（ｉｉｉ）の修正コンピュータ生成画像データＭＩＤを表示装置ＨＭＤへ提供する工程とを含む。
【００５７】
視覚化パラメータデータＶＰＤを提供する工程（ｉ）はＶＰＤデータを送信する工程であり得る。例えば、送出はＨＭＤ上のコントローラに対してであり得る。送出は、無線通信によってもよいし、フラッシュドライブ（ＵＳＢキー）を介した入力によってもよい。工程（ｉ）はまた、ＨＭＤ上の設定を手動で提供することにより、例えば所望焦点を得るために又は装着者の視野内に画像の位置を変更するために視覚化パラメータＶＰを調整するためのＨＭＤ上のサムホイールを回転させることにより、行われ得る。このような場合、ＶＰＤデータは類推ベースで提供される。
【００５８】
計算工程（ｉｉｉ）は有利には、視覚化パラメータデータＶＰＤを考慮する。これは、装着者眼科データＯＤ及び／又は装置データＨＭＤＤを考慮することにより画像表示のカスタム化を実現する。特に、カスタム化は、光学系によりにより生成される収差（すなわち、ＨＭＤにより生成される光学収差）、及び特にはＨＭＤ上に配置されたＳＬＭが装着者の装置の視軸内に存在しないかもしれないということにより（ＳＬＭの中心からずれた位置により）生成される収差を制限する又は少なくとも部分的に補正できるようにする。したがって、未補正（未修正）画像の表示は視覚的快適性と画像分解能に強く影響を与える画像歪みにつながるであろう。
【００５９】
工程（ｉｉｉ）はまた、装着者の非正視／老眼に対してカスタマイズされた画像表示を提供するために装着者処方箋データＰＤを考慮する。例えば、所与の処方箋データＰＤを有する所与の近視装着者にとって、本発明により表示される画像は、上記装着者にとって完全に鮮明であるかもしれないが異なる処方箋データを有する別の装着者にとっては鮮明ではないであろう。
【００６０】
工程（ｉｉｉ）は、コンピュータ生成画像データがそれに応じて修正される計算を含む。ＳＬＭを有するＨＭＤについて、波面の観点では、これは、ＳＬＭにより（送出又は反射により）放射された光波面が、ＶＰＤデータを考慮するために修正されるということを意味する。画像は符号化されても不正視装着者の処方箋レンズを通して見られるので画像を符号化することは可能である。このような計算（フーリエ画像ホログラム（Ｆｏｕｒｉｅｒ  ｉｍａｇｅ  ｈｏｌｏｇｒａｍ）及び波面ホログラムの計算）は実際には、フーリエ空間において行うのがより簡単である。波面ホログラムは、当該技術分野で知られた計算技術例えばＺｅｒｎｉｋｅ多項式により分析面として説明され得る。
【００６１】
工程（ｉｉｉ）は、単一（ワンショット）計算を含み得る、又は例えば画像の動的視覚化のための「動的」、連続的、又はリアルタイム計算を含み得る。さらに、工程（ｉｉｉ）はオン／オフベースで行われ得る。例えば、近視装着者にとって、工程（ｉｉｉ）は遠方視画像表示のため行われ得るので工程（ｉｉｉ）は近方視画像表示には必要ないかもしれない。
【００６２】
好ましい実施形態では、視覚化パラメータデータＶＰＤは装着者処方箋データＰＤを含む。処方箋データＰＤは好適には、乱視度、乱視軸、度数、プリズム及び加入度から選択される。
【００６３】
好ましい実施形態では、コンピュータ生成画像はホログラフィック画像である。したがって、ＨＭＤ装置は頭部装着型コンピュータ生成ホログラフィック画像表示装置ＨＭＤである。したがって、本発明の方法では、コンピュータ生成画像データＩＤはコンピュータ生成ホログラフィック画像データＨＤであり、修正コンピュータ生成画像データＭＩＤは修正コンピュータ生成ホログラフィック画像データＭＨＤである。
【００６４】
別の態様では、本発明は、装着者により装着される頭部装着型コンピュータ生成ホログラフィック画像表示装置ＨＭＤによるコンピュータ生成ホログラフィック画像の表示のためのコンピュータ実施方法を提供する。本方法は、本明細書に記載された工程（ｉ）、（ｉｉ）、（ｉｉｉ）、（ｉｖ）を含む。本方法はさらに、（ｖ）装置ＨＭＤの照射により工程（ｉｉｉ）の修正コンピュータ生成ホログラフィック画像データＭＨＤからホログラフィック画像を表示するのに好適な（するように構成、配置された）光ビームを少なくとも１つの光源ＬＩＧＨＴ  ＳＯＵＲＣにより発射する工程を含み得る。したがって、ＳＬＭを有するＨＭＤでは、工程（ｖ）は光源ＬＩＧＨＴ  ＳＯＵＲＣによりＳＬＭを照射する工程を含む。
【００６５】
いくつかの実施形態では、光源ＬＩＧＨＴ  ＳＯＵＲＣは遠隔照射端末ＬＩＧＨＴ  ＴＥＲＭ上に設けられる。他の実施形態では、光源ＬＩＧＨＴ  ＳＯＵＲＣは装置ＨＭＤに内蔵される。いくつかの実施形態では、光源ＬＩＧＨＴ  ＳＯＵＲＣは遠隔照射端末ＬＩＧＨＴ  ＴＥＲＭ上に設けられ、光源ＬＩＧＨＴ  ＳＯＵＲＣは装置ＨＭＤに内蔵される。
【００６６】
有利には、本発明によると、光源ＬＩＧＨＴ  ＳＯＵＲＣが外部端末ＴＥＲＭ（ＨＭＤの上の別個の遠隔端末）上に設けられる場合、光源は、一定の地理学的又はＧＰＳ座標を少なくとも一時的に有するという点で「固定」される。したがって、画像を「セット」することが可能であり、画像は光源ＬＩＧＨＴ  ＳＯＵＲＣ（例えば、博物館内の所与の絵画の近くに配置された端末ＴＥＲＭ）に「取り付けられた」ままである。これは、装着者が頭を回転したとしても、アイトラッカの必要性は無くかつ画像を絵画に「取り付ける」ためのさらなる計算の必要もないという点で有利である。
【００６７】
本発明によると、光源ＬＩＧＨＴ  ＳＯＵＲＣは、多重モードで光を放射し得る。多重モードは空間的又は時間的であり得る。多重化はまた、複数の装置ＨＭＤによる表示のために光を放射することに関わり得る。博物館の例では、単一光源ＬＩＧＨＴ  ＳＯＵＲＣが何人かの訪問客のために同時に放射し得る。
【００６８】
本発明によると、光源ＬＩＧＨＴ  ＳＯＵＲＣが遠隔照射端末ＬＩＧＨＴ  ＴＥＲＭ上に設けられる場合、光源ＬＩＧＨＴ  ＳＯＵＲＣはまた、有利には、画像データを照射端末ＬＩＧＨＴ  ＴＥＲＭから装置ＨＭＤへ送信するのに好適となり（するように構成、配置され）得る。したがって、光源ＬＩＧＨＴ  ＳＯＵＲＣは、表示のためのコンピュータ生成ホログラフィック画像（修正又は未修正）データを提供する役割とホログラフィック画像表示を引き起こすために装置ＨＭＤを照射する役割との２重の役割を果たす。この２重の役割は、ＨＭＤ装置がそれ自身の光源を含まないとしてもＨＭＤ装置上の画像表示を提供するという点で、特に有利である。さらに、ＨＭＤ装置は、画像データを含むデータを送信し得る通信端末ＣＯＭ  ＴＥＲＭの役割と有利にはその後直ちに好適な（構成、配置された）光ビームにより照射を提供することにより画像を表示させ得る通信端末ＣＯＭ  ＴＥＲＭの役割との２重の役割に依存する。
【００６９】
したがって、ホログラフィック画像データ（修正又は未修正）を提供する工程は、例えばＬｉ−Ｆｉ又はＦＳＯ通信により遠隔照射端末ＬＩＧＨＴ  ＴＥＲＭ上の光源ＬＩＧＨＴ  ＳＯＵＲＣとの間の光通信によりデータを送信する工程を含む。このような実施形態において、工程（ｉｉ）は、コンピュータ生成ホログラフィック画像データＨＤを光源ＬＩＧＨＴ  ＳＯＵＲＣから装置ＨＭＤへ送信する工程を含み得又は、工程（ｉｖ）は、修正コンピュータ生成ホログラフィック画像データＭＨＤを光源ＬＩＧＨＴ  ＳＯＵＲＣから装置ＨＭＤへ送信する工程を含み得る。
【００７０】
本発明の一態様では、工程（ｉ）の視覚化パラメータデータＶＰＤは装置ＨＭＤ上のメモリ内に格納され得る。このような場合、修正データを計算する工程（ｉｉｉ）は、装置ＨＭＤ上に配置されたプロセッサ（「ローカル」計算）又は遠隔プロセッサ（「遠隔」計算）のいずれかにより行われ得る。遠隔プロセッサは、遠隔端末ＴＥＲＭ（例えば、遠隔照射端末ＬＩＧＨＴ  ＴＥＲＭ、遠隔通信端末ＣＯＭ  ＴＥＲＭ）上に配置され得る。端末ＴＥＲＭはネットワークＮＥＴＷを介しサーバＳＥＲＶへ接続されてもよい（ネットワーク接続端末）し、接続されなくてもよい（スタンドアロン端末）。遠隔プロセッサはまた、サーバＳＥＲＶ内に配置され得る。したがって、本発明によると、工程（ｉ）は、（ｉ−ａ）少なくとも１つの通信端末ＣＯＭ  ＴＥＲＭにより装着者の存在を検出する工程と、（ｉ−ｂ）工程（ｉ−ａ）において検知された存在に応じて、視覚化パラメータデータＶＰＤを装置ＨＭＤから通信端末ＣＯＭ  ＴＥＲＭへ送信する工程とを含み得、工程（ｉｖ）は、修正コンピュータ生成画像データＭＩＤを通信端末ＣＯＭ  ＴＥＲＭから装置ＨＭＤへ送信する工程を含み得る。図１〜図４は、視覚化パラメータデータＶＰＤが装置ＨＭＤ上のメモリ内に格納される本発明の実施形態を示し、
−  図１〜図２は、コンピュータ生成画像データＩＤ又はＨＤが通信端末ＣＯＭ  ＴＥＲＭ上に提供される実施形態を示す。
−  図３〜図４は、コンピュータ生成画像データＩＤ又はＨＤが通信データベースＤＢへ接続された通信サーバＣＯＭ  ＳＥＲＶ上に提供される実施形態を示す。
【００７１】
矢印は、それぞれの送信データの注釈付きデータを提供する工程を示す、星印（＊）は、計算工程すなわち工程（ｉｉｉ）が端末ＴＥＲＭ又は装置ＨＭＤのいずれかの上のプロセッサにより行われ得るということを示す。
【００７２】
本発明の別の態様では、工程（ｉ）の視覚化パラメータデータＶＰＤは、視覚化パラメータ識別子ＶＰ  ＩＤに関連して、通信ネットワークＣＯＭ  ＮＥＴＷを介し通信端末ＣＯＭ  ＴＥＲＭへ接続された通信サーバＣＯＭ  ＳＥＲＶ上の装着者データベースＷＥＡＲ  ＤＢ内に格納されたメモリ内に格納され得る。この識別子ＶＰ  ＩＤは、視覚化パラメータデータ（ＶＰＤ）の検索を可能にする識別子として定義され得る。例えば、この識別子ＶＰ  ＩＤは、ＯＤ又はＨＭＤＤのデータの検索を可能にする。この実施形態は、視覚化パラメータデータＶＰＤの更新を可能にするという点で有利である。例えば、所与の装着者では、処方箋データは時間とともに進化し得る及び／又は装着者は装置ＨＭＤを変更し得る。本発明の方法におけるサーバの使用は、装置ＨＭＤによる画像表示を忠実にカスタム化する更新機構を提供する。視覚化パラメータ識別子ＶＰ  ＩＤは個々のもの（例えば、所与の装着者を識別する一意的識別子）であり得る。視覚化パラメータ識別子ＶＰ  ＩＤはまた、例えば同一処方箋データＰＤを有する装着者（例えば、同じ近視矯正を有する装着者）のグループ又は同じモデルの装置ＨＭＤを有する装着者のグループを識別するための一般的識別子（グループ識別子）であり得る。視覚化パラメータ識別子ＶＰ  ＩＤは、ＨＭＤ上に配置されたＱＲコード（登録商標）又はＲＦＩＤコードなどのコードであり得る。視覚化パラメータ識別子ＶＰ  ＩＤはまた、ＨＭＤ（及び装着者）に固有の変調周波数であり得る。視覚化パラメータ識別子ＶＰ  ＩＤは光学的署名であり得る。
【００７３】
視覚化パラメータデータＶＰＤがサーバＳＥＲＶ上のデータベースＤＢ内に格納される場合、視覚化パラメータデータＶＰＤの検索は、視覚化パラメータデータＶＰＤをデータベースＤＢから端末ＴＥＲＭへ、及び次に任意選択的に端末ＴＥＲＭから装置ＨＭＤへ送信することにより行われ得る。したがって、工程（ｉ）は、（ｉ−ａ）通信端末ＣＯＭ  ＴＥＲＭにより装着者の存在を検出する工程と、（ｉ−ｂ）工程（ｉ−ａ）において検知された存在に応じて、視覚化パラメータデータＶＰＤを通信サーバＣＯＭ  ＳＥＲＶから通信端末ＣＯＭ  ＴＥＲＭへ送信する工程とを含み得る。このとき、工程（ｉ）は任意選択的に、（ｉ−ｃ）視覚化パラメータデータＶＰＤを通信端末ＣＯＭ  ＴＥＲＭから装置ＨＭＤへ送信する別の工程を含み得る。視覚化パラメータデータＶＰＤの更新は、眼専門店において、又はコンピュータ、タブレット、又はスマートフォンを介し装着者により行われ得る。
【００７４】
視覚化パラメータデータＶＰＤがサーバＳＥＲＶ上のデータベースＤＢ内に格納される場合、修正画像データＭＩＤを計算する工程（ｉｉｉ）は、端末ＴＥＲＭ上に配置されたプロセッサ、又はサーバＳＥＲＶ内に配置されたプロセッサのいずれかで行われ得る。したがって、工程（ｉｉｉ）は、修正コンピュータ生成画像データＭＩＤを通信端末ＣＯＭ  ＴＥＲＭから装置ＨＭＤへ送信する工程と、及び任意選択的に、修正コンピュータ生成画像データＭＩＤを通信サーバＣＯＭ  ＳＥＲＶから通信端末ＣＯＭ  ＴＥＲＭへ送信する前工程を含み得る。
【００７５】
図５〜図８は、視覚化パラメータデータＶＰＤがデータベース内に格納される本発明の実施形態を示し、
−  図５は、視覚化パラメータデータＶＰＤが通信データベースＤＢから検索され、通信端末ＣＯＭ  ＴＥＲＭを介し装置ＨＭＤへ送信される実施形態を示す。
−  図６は、コンピュータ生成画像データＩＤ、ＨＤが通信端末ＣＯＭ  ＴＥＲＭ上に提供される実施形態を示す。
−  図７と図８は、コンピュータ生成画像データＩＤ、ＨＤが、通信データベースＤＢへ接続された通信サーバＳＥＲＶ上に提供される実施形態を示す。
【００７６】
矢印は、データ提供工程を示し、星印（＊）は、計算工程すなわち工程（ｉｉｉ）が端末ＴＥＲＭ又はサーバＳＥＲＶ又は装置ＨＭＤ上のプロセッサにより行われ得るということを示す。
【００７７】
本発明によると、画像データがサーバＳＥＲＶ上の画像データベースＩＭ  ＤＢ内に格納される場合、いくつかの画像へのアクセス権を定義することが可能である。したがって、コンピュータ生成画像データＩＤ又は修正コンピュータ生成画像データＭＩＤが画像データベースＩＭ  ＤＢ内に格納される場合、本発明の方法は、装着者識別子ＷＥＡＲ  ＩＤと装着者との関連性をデータベースに事前登録する予備工程を含み得、及び工程（ｉｉ）のコンピュータ生成画像データＩＤ及び／又は工程（ｉｉｉ）の修正コンピュータ生成画像データＭＩＤは、装着者識別子ＷＥＡＲ  ＩＤにしたがって（任意選択的にアクセス権にしたがって）判断（定義）される。したがって、装着者識別子は装着者プロファイルの定義を可能にする。装着者識別子ＷＥＡＲ  ＩＤは視覚化パラメータ識別子ＶＰ  ＩＤと同じであっても異なってもよい。装着者識別子は、装置ＨＭＤ上に配置されたコード（例えば、ＱＲコード（登録商標）又はＲＦＩＤコード）であり得る。したがって、画像データベースＩＭ  ＤＢに関連して１又は複数のレベルのアクセス権を定義することが可能である。
【００７８】
本発明のシステムと装置
別の態様では、本発明は、照射端末ＬＩＧＨＴ  ＴＥＲＭと装置ＨＭＤとを含むシステムを提供する。上記システムは、本発明の方法を実行するのに好適である（するように構成、配置される）。
【００７９】
したがって、本発明は照射端末ＬＩＧＨＴ  ＴＥＲＭに関する。この端末は、特にコンピュータ生成画像がホログラフィック画像である場合に本発明の方法を実施するのに好適である（するように構成、配置される）。
【００８０】
本発明の照射端末ＬＩＧＨＴ  ＴＥＲＭは、
−  照射によりホログラフィック画像を表示するのに好適な（するように構成、配置された）光源ＬＩＧＨＴ  ＳＯＵＲＣと、
−  任意選択的に、頭部装着型コンピュータ生成ホログラフィック画像表示装置ＨＭＤを備える装着者の存在を検知するのに好適な（するように構成、配置された）センサＳＥＮＳと、
−  任意選択的に、視覚化パラメータデータＶＰＤ、コンピュータ生成ホログラフィック画像データＨＤ、及び修正コンピュータ生成ホログラフィック画像データＭＨＤから選択されたデータを上記端末から及び／又は上記端末へ送信するのに好適な（するように配置され、構成された）通信インターフェースＩＮＴとを含む。
【００８１】
通信インターフェースＩＮＴは、ＵＳＢポート及び／又はブルートゥース、Ｗｉ−Ｆｉ、４Ｇ、３Ｇなどの無線周波数を含む無線通信、光（Ｌｉ−Ｆｉ又はＦＳＯ）及び／又はＩＲ通信のための任意の他のインターフェース、及び／又はフォトダイオード（データを受信するための）及び／又は発射器（データを発射するための）例えば可視又は近赤外ＩＲ光源を含み得る。
【００８２】
さらに、照射端末ＬＩＧＨＴ  ＴＥＲＭは、以下のもののうちの１又は複数を含み得る。
−  電池又は任意の他の電源手段、
−  ＧＰＳ座標を判断するためのＧＰＳ、
−  １つのメモリ又は複数のメモリ、
−  ディジタルカメラ、
−  他のセンサ、
−  ホログラフィック画像データ（修正又は未修正）を処理するために好適な（するように構成、配置された）コントローラＣＯＮＴ。コントローラＣＯＮＴは、工程（ｉｉｉ）を実行するのに好適であり（するように構成、配置され）、プロセッサを含む。
【００８３】
好ましい実施態様では、本発明の照射端末ＬＩＧＨＴ  ＴＥＲＭでは、光源ＬＩＧＨＴ  ＳＯＵＲＣはさらに、コンピュータ生成ホログラフィック画像データＨＤ及び／又は修正コンピュータ生成ホログラフィック画像データＭＨＤを照射端末ＬＩＧＨＴ  ＴＥＲＭから送信するのに好適である（するように構成、配置される）。
【００８４】
この２重の役割（表示のための照射とデータ送信）は、ＨＭＤ装置がそれ自身の光源を含まなくてもＨＭＤ装置上に画像表示を提供するという点で特に有利である。ＨＭＤ装置は、画像データを含むデータを送信し得る端末の役割と、有利にはその後直ちに、好適な（構成、配置された）光ビームにより照射を提供することにより画像を表示させ得る端末の役割との２重の役割に依存する。
【００８５】
本発明はまた、本明細書に記載されるような照射端末のネットワーク配備に関する。したがって、本発明は、照射端末ＬＩＧＨＴ  ＴＥＲＭのそれぞれが照射ネットワークＬＩＧＨＴ  ＮＥＴＷを介し照射サーバＬＩＧＨＴ  ＳＥＲＶへ接続される本明細書に記載されるような複数の照射端末ＬＩＧＨＴ  ＴＥＲＭを含むシステムに関する。サーバとネットワークは当該技術分野で知られている。例えば、通信目的のために、ネットワークを介し複数の端末とサーバとを接続することが可能である。同様に、端末が照射端末である場合、照射端末ＬＩＧＨＴ  ＴＥＲＭのそれぞれは、ネットワークＬＩＧＨＴ  ＮＥＴＷを介しサーバＬＩＧＨＴ  ＳＥＲＶと通信する（へ接続される）ように配置（構成）され得る。本発明によると、照射端末もまた通信端末であり得る。さらに、複数の照射／通信端末ＴＥＲＭはネットワークＮＥＴＷを介しサーバＳＥＲＶと通信する（へ接続される）ように配置（構成）され得る。
【００８６】
別の態様では、本発明は頭部装着装置に関する。本発明は、
−  位相及び／又は振幅空間光変調器ＳＬＭと、
−  任意選択的に、照射次第画像を表示するのに好適な（するように構成、配置された）光源ＬＩＧＨＴ  ＳＯＵＲＣと、
−  任意選択的に、視覚化パラメータデータＶＰＤ、コンピュータ生成画像データＩＤ、及び修正コンピュータ生成画像データＭＩＤから選択されたデータを装置ＨＭＤから及び／又は装置ＨＭＤへ送信するのに好適な（するように配置され、構成された）通信インターフェースμＩＮＴとを含む頭部装着型コンピュータ生成画像表示装置ＨＭＤを提供する。
【００８７】
この装置ＨＭＤは、本発明の方法を実施するのに好適である（するように構成、配置される）。
【００８８】
好適な実施形態では、装置ＨＭＤは位相ＳＬＭを有する一対の処方箋眼鏡である。
【００８９】
好適には、コンピュータ生成画像はコンピュータ生成ホログラフィック画像である。ＳＬＭは好適には、位相ＳＬＭ（例えば、「位相だけＳＬＭ」）であり、ＬＣｏＳ又はガラスすなわち透過型アクティブマトリックス液晶で作られ得る。ＳＬＭはまた、装着者眼の前に設けられる「シー・スルー」ＳＬＭであり得、この場合、ホログラフィックミラーは必要ではない。ＳＬＭが装着者眼の前以外の他のどこかに設けられる場合、例えばＳＬＭが装置ＨＭＤ側に又は装着者の蔓部近くに設けられる場合は、ホログラフィックミラーが必要かもしれない。
【００９０】
本発明によると、装置ＨＭＤは、以下のもののうちの１又は複数を含み得る。
−  少なくとも１つのレンズ。レンズは、反射防止膜と、任意選択的に、装着者側のレンズ上又は内に設けられるホログラフィックミラーとを備え、ホログラフィックミラーは好適には、装置ＨＭＤが内蔵光源ＬＩＧＨＴ  ＳＯＵＲＣを備える場合に存在し、レンズは一対の処方箋レンズの一部であり得る、
−  電池、
−  ＧＰＳ、
−  少なくとも１つのメモリ、
−  カメラ、
−  マイクロホン、
−  センサ（例えば、アイトラッカ、運動トラッカー又は触覚指令手段を含む触覚手段）、
−  画像データを処理（復号化、復調、符号化等々）するのに好適な（するように構成、配置された）マイクロコントローラ（μＣＯＮＴ）。コントローラＣＯＮＴは、工程（ｉｉｉ）を実行するのに好適であり（するように構成、配置され）得、プロセッサを含み得る。
【００９１】
通信インターフェースμＩＮＴは、ＵＳＢポート及び／又はブルートゥース、Ｗｉ−Ｆｉ、４Ｇ、３Ｇなどの無線周波数を含む無線通信、光（Ｌｉ−Ｆｉ又はＦＳＯ）及び／又はＩＲ通信のための任意の他のインターフェース、及び／又は、フォトダイオード（データを受信するための）及び／又は発射器（データを放射するための）例えば可視又は近赤外ＩＲ光源を含み得る。装置ＨＭＤは、視覚化パラメータデータＶＰＤ、コンピュータ生成画像データＩＤ、及び修正コンピュータ生成画像データＭＩＤから選択されたデータを格納するのに好適な（するように構成、配置された）メモリを含み得る。装置ＨＭＤのプログラミングは、視覚化パラメータデータＶＰＤ、コンピュータ生成画像データＩＤ、及び修正コンピュータ生成画像データＭＩＤから選択されたデータを入力する工程を含み得る。本発明の装置ＨＭＤの例が図１２〜図１４に示される。これらの例は、装置の蔓部（ｔｅｍｐｌｅ）ＴＥＭＰ上に搭載された光源ＬＩＧＨＴ  ＳＯＵＲＣを含む装置である。但し、光源ＬＩＧＨＴ  ＳＯＵＲＣの存在は本発明によると任意選択的である。
【００９２】
装置ＨＭＤは空間光変調器ＳＬＭとレンズＬを含む。
【００９３】
ＳＬＭは装置ＨＭＤの蔓部ＴＥＭＰ上に配置され得る。ＳＬＭは反射（図１２）の又は透過（図１３）の機能を有し得る。光源ＬＩＧＨＴ  ＳＯＵＲＣにより放射された光ビームは、レンズＬにぶつかる前に、ＳＬＭによりそれぞれ反射（図１２）又は透過（図１３）される。本発明の装置ＨＭＤが反射ＳＬＭを含む場合、装置ＨＭＤはホログラフィックミラーをさらに含む。レンズＬは、装着者の眼に面するレンズＬ側にホログラフィックミラーＭＩＲＲを備える。レンズＬは反射防止膜をも備える。ホログラフィックミラーＭＩＲＲ上の反射後、光ビームは装着者の眼へ導かれ、したがってホログラフィック画像の視覚化を引き起こす。ホログラフィックミラーＭＩＲＲは中心から外れている。
【００９４】
ホログラフィックミラーは、当該技術分野で知られており、光学的ホログラフィック素子の一部である。ホログラフィックミラーは、例えば一組の干渉縞の回折格子を含む。ホログラフィックミラーは、重クロム酸ゼラチンのフォトポリマ又は当該技術分野で知られた合成フォトポリマ、又は漂白銀ホログラフィック乳剤で作られ得る。有利には、ホログラフィックミラーＭＩＲＲはレンズの幾何学形状に影響を与えること無くレンズと組み合わせられ得る。結果として、レンズの光機能とホログラフィックミラーの光機能は、完全に無相関にされ、独立に最適化され得る。ホログラフィックミラーは系の光学収差の一部又はすべてを補正するように設計され得る（特にＳＬＭは図１２〜図１３のように眼鏡蔓部ＴＥＭＰ上に配置されるので、中心から外れており、装着者により視覚化される画像に光学収差を生じさせる）。ホログラフィックミラーは視野収差を制限する（リデューストアパーチャ）ように角度範囲（ａｎｇｕｌａｒ  ｆｒａｃｔｉｏｎ）毎に製造され得る。このような場合、ミラーは、所与の方向の入射光の所望波長の光だけを反射する。このようなミラーは、内蔵光源ＬＩＧＨＴ  ＳＯＵＲＣを備える装置ＨＭＤに特に有利である。より大きなアパーチャを有する画像の構築のためには、画像全体をフラグメント化し、ビームによりミラーの走査を進めることが可能である。
【００９５】
ＳＬＭはまた、図１４に示すように「シー・スルー」透過型ＳＬＭであり得る。遠隔光源ＬＩＧＨＴ  ＳＯＵＲＣは、レンズＬとＳＬＭを通って装着者の眼に達するビームを放射する。
【００９６】
単色使用のためには、ホログラフィックミラーは、照射の波長で光学的に記録（規定）される。この波長以外の波長では、ミラーは透明であり、したがってレンズを通しての装着者による視覚を損なわない。三色使用（赤、緑、青色）では、ホログラフィックミラーは３つの波長で光学的に記録（規定）され、ホログラフィック画像は３つの当該波長で視覚化され得る。ホログラフィックミラーは他の波長では透明である。同様に、３つの選択された波長以外の波長では、ミラーは透明であり、したがってレンズを通しての装着者による視覚を損なわない（回折効果はゼロである）。好適には、同ミラーは、照射（入射光）の様々な角度に対して光学的に記録される。より一般的には、ホログラフィックミラーの設計と設定は当業者にとって周知の知識である。
【００９７】
本発明の装置ＨＭＤは、ミラーが照射と視覚化に使用される波長に固有であるので、装置ＨＭＤを装着する装着者により視覚化される画像の機密性を保護するという点で有利である。
【００９８】
ＳＬＭがレンズ／ＨＭＤの蔓部上に設けられる場合、ＳＬＭは、明らかに中心から外れており、したがって、ＳＬＭによるホログラフィック画像の投影は視覚的／光学的収差を生じる。視覚的／光学的収差は有利にはホログラフィック画像データの好適な修正により少なくとも部分的に補償され得る。したがって、ＳＬＭは、ＳＬＭにより放射（透過又は反射）される波面をそれに応じて修正し、視覚的経験及び快適性の改善につながる。
【００９９】
本発明はまた、頭部装着装置内のＳＬＭの使用に関する。より具体的には、本発明は、処方箋眼鏡を含む眼鏡内のＳＬＭの使用に関する。ＳＬＭは、位相及び／又は振幅空間光変調器ＳＬＭ、好適には位相ＳＬＭ又は「位相だけＳＬＭ」（例えば、ＬＣｏＳ  ＳＬＭ、ガラス透過型アクティブマトリクスＬＣ  ＳＬＭ）であり得る。本発明は以下の非限定的な実施例により示される。
【実施例】
【０１００】
実施例１：地下鉄路線の地図の表示
近視装着者は本発明の装置ＨＭＤを備える。装着者には、処方箋データＰＤ（左及び右眼の度数）及び装置ＨＭＤに対応する装置データＨＭＤＤを含む視覚化パラメータデータＶＰＤが割り振られる。視覚化パラメータデータＶＰＤは装置ＨＭＤ上のメモリ上に格納される。
【０１０１】
一実施形態では、本発明の方法は図１に示したように以下のように実施され得る。地下鉄駅は、光源ＬＩＧＨＴ  ＳＯＵＲＣ、メモリ、及びプロセッサを含むスタンドアロン端末ＴＥＲＭを備える。地下鉄路線の地図を表すコンピュータ生成ホログラフィック画像データＨＤが端末ＴＥＲＭのメモリ内に格納される。端末ＴＥＲＭは装置ＨＭＤを装着する装着者の存在を検知する。この検知結果は、視覚化パラメータデータＶＰＤを装置ＨＭＤから端末ＴＥＲＭへ送出させる。端末のプロセッサは、装着者処方箋データＰＤと装置データＨＭＤＤとに適応化された修正ホログラフィック画像データＭＨＤを提供するように計算工程を行う。次に、修正データＭＨＤは、Ｌｉ−Ｆｉ通信を使用することにより端末ＴＥＲＭから装置ＨＭＤへ送信される。
【０１０２】
別の実施形態では、本発明の方法は図２に示したように以下のように実施され得る。地下鉄駅は、光源ＬＩＧＨＴ  ＳＯＵＲＣ、メモリ、及びプロセッサを含むスタンドアロン端末ＴＥＲＭを備える。地下鉄路線の地図を表すコンピュータ生成ホログラフィック画像データＨＤが端末ＴＥＲＭのメモリ内に格納される。端末ＴＥＲＭは装置ＨＭＤを装着する装着者の存在を検知する。この検知結果は、Ｌｉ−Ｆｉにより、ホログラフィック画像データＨＤを端末ＴＥＲＭから装置ＨＭＤへ送出させる。装置ＨＭＤは、装着者処方箋データＰＤと装置データＨＭＤＤとに適応化された修正ホログラフィック画像データＭＨＤを提供するように計算工程を行うプロセッサを備える。
【０１０３】
両実施形態において、端末ＴＥＲＭの光源ＬＩＧＨＴ  ＳＯＵＲＣは、地下鉄線路図の修正ホログラフィック画像を表示させるのに好適な（させるように構成、配置された）光ビームを放射し、これにより装着者が地下鉄内の方位を発見できるようにする。
【０１０４】
装着者は、表示が装着者処方箋データに応じたホログラフィック画像の補正を提供するので、個人化された特徴を有する拡張現実感を経験する。
【０１０５】
実施例２：日／時の表示
乱視装着者は本発明の装置ＨＭＤを備える。同装着者は、処方箋データＰＤ（左及び右眼の乱視度及び軸）と上記装置に対応する装置データＨＭＤＤとを含む視覚化パラメータデータＶＰＤを有する。装置ＨＭＤは、時計、メモリ及び内蔵光源ＬＩＧＨＴ  ＳＯＵＲＣを含む。時計は日時を提供するのに好適である。メモリは、装着者の乱視処方箋データＰＤと装置データＨＭＤＤとを考慮する修正ホログラフィック画像データを含む。ホログラフィック画像データは数字０、１、２、．．．、９と、スラッシュ、ダッシュなどの他のアルファベット文字とを含む。装着者からの触覚指令と光源ＬＩＧＨＴ  ＳＯＵＲＣによる照射とに続いて、ＨＭＤは、次のフォーマットで、装着者視野の左上角に日時のホログラフィック画像を表示させる。
ｄｄ／ｍｍ／ｙｙ（日／月／年）
ｈｈ：ｍｍ（時：分）
【０１０６】
ＨＭＤは、フォントのサイズの、表示の位置（例えば、視野の右下角）の、及び次の他の表示フォーマットのカスタム化を可能にする。
ｈｈ：ｍｍ（午前又は午後）（時：分）
【０１０７】
代替的に、ホログラフィック画像データは、手と実際の時計の画像のものであり得る。日及び／又は時の表示は有利には、装着者に対しカスタム化される。この表示は、個人化されたコンピュータ生成ホログラフィック画像を使用することにより時間の処方箋準拠表示を提供する。この例は、本発明の方法を行うためのいかなる端末も必要が無い別の実施形態に一般化され得る。
【０１０８】
実施例３：当日の予定表の表示
老眼装着者は本発明の装置ＨＭＤを備える。同装着者は、処方箋データＰＤ（左及び右眼）と上記装置に対応する装置データＨＭＤＤとを含む視覚化パラメータデータＶＰＤを有する。装置は光源ＬＩＧＨＴ  ＳＯＵＲＣを含む。
【０１０９】
同装着者はタブレットの形式の端末ＴＥＲＭを備える。タブレットは装置ＨＭＤへデータを送信するのに好適である（するように構成、配置される）。タブレットはＷｉ−Ｆｉ通信を介しインターネットへ例えばクラウドへ接続され得る。
【０１１０】
一実施形態では、視覚化パラメータデータＶＰＤはＨＭＤ上のメモリ上に格納される。タブレットは、装着者の１日のタイムテーブルを表す一組のホログラフィック画像データＨＤを装置ＨＭＤへ送信し得る。タブレットは装着者の存在を検知し、この検知結果は、データＨＤを装置ＨＭＤへ送出させる。データＨＤはその後、装置のメモリ上に格納され（タブレットからアップロードされ）、したがって、視覚化データＶＰＤを考慮することにより修正され得、また、視覚化データＶＰＤを考慮するために修正されるとメモリ内に格納され得る。
【０１１１】
代替的に、別の実施形態では、タブレットは、視覚化パラメータデータＶＰＤを格納するメモリを含み得、タブレットは、未修正ホログラフィック画像データＨＤの代わりに修正データＭＨＤを直接計算し装置ＨＭＤへ送信するようにプログラムされ得る。
【０１１２】
両実施形態では、１日の残りに関し、装着者が「オフライン」である場合、すなわちＨＭＤが端末又はサーバへ接続されていない場合でも、装着者は、要求があり次第ホログラフィック画像としてタイムテーブルデータへアクセスしそれを表示し得る（例えば、触覚指令にしたがって）。表示は、ＨＭＤの光源により照射され次第可能となる。表示は有利には、装着者の老眼に対しカスタム化される。タイムテーブルのデータの更新は、関係サーバ又はクラウドへ接続される好適な（されるように構成、配置された）端末への接続により可能である。
【０１１３】
実施例４：遠隔光源を有する本発明の方法及びシステムの可能な用途
博物館を訪れること
可能な用途は、単一光源ＬＩＧＨＴ  ＳＯＵＲＣが端末ＴＥＲＭの一部であり博物館を訪れる装着者のために放射し得る博物館におけるものである。さらに、光源ＬＩＧＨＴ  ＳＯＵＲＣは、多重モードで放射し得、したがって、博物館を同時に訪れる複数のＨＭＤ装着者のために使用され得る。
【０１１４】
車両内
光源ＬＩＧＨＴ  ＳＯＵＲＣを備えた端末ＴＥＲＭは自動車、モーターバイク、飛行機、トラックなどの車両内に設定され得る。端末は、交通、天候などに関する情報などの情報の表示のためのものである。情報は、個別的やり方であるが極めて可視的やり方で表示される（暗闇により、又は雨又は霧などの困難な天候条件下で、常にはあまり可視的でない道路標識とは対照的に）。画像は車両の基準系において「設定」され、したがって運転者は、標識を見るために頭を回転する必要が無い。さらに、光源は、多重モードで放射し、車両内の非運転者のための他の情報を表示し得る。
【０１１５】
建物への入場
ビルセキュリティ（入退場制御）は本発明にしたがって行われ得る。入口の端末は、入場コードを入力するための仮想キーボードの表示を可能にする。建物への入場は、訪問客が好適な（構成、配置された）ＨＭＤを着用することを必要とする。
【図１】
0006675312.tif 000002
【図２】
0006675312.tif 000003
【図３】
0006675312.tif 000004
【図４】
0006675312.tif 000005
【図５】
0006675312.tif 000006
【図６】
0006675312.tif 000007
【図７】
0006675312.tif 000008
【図８】
0006675312.tif 000009
【図９】
0006675312.tif 000010
【図１０】
0006675312.tif 000011
【図１１】
0006675312.tif 000012
【図１２】
0006675312.tif 000013
【図１３】
0006675312.tif 000014
【図１４】
0006675312.tif 000015